(57)【要約】【課題】他の住戸への漏水、振動伝播及び騒音を防止するとともに環境負荷を低減することができる厨芥破砕装置を提供すること。【解決手段】厨芥破砕装置１１は、自在に定置して使用でき、駆動装置２１を有する本体２と、本体２に嵌脱自在となっている破砕容器３とを備え、その破砕容器３は、厨芥を収容する厨芥収容体４とその厨芥収容体４に嵌脱自在となっている蓋体５とを有し、厨芥収容体４の容器内部側には、固定刃４３が設けられ、蓋体５には、固定刃４３とともに厨芥を破砕するハンマー部材５３が取り付けられている回動テーブル５４が設けられ、破砕容器３を本体２に取り付けることによって駆動装置２１の駆動が回動テーブル５４に伝動するようになっている。【選択図】  図１
2010253333.tif 000002
【特許請求の範囲】
【請求項１】
自在に定置して使用する厨芥破砕装置であって、
駆動装置を有する本体と、
前記本体に着脱自在となっている破砕容器とを備え、
その破砕容器は、厨芥を収容する厨芥収容体とその厨芥収容体に嵌脱自在となっている蓋体とを有し、
前記厨芥収容体の容器内部側及び／又は前記蓋体の容器内部側には、固定刃が設けられ、
前記蓋体は、厨芥を前記固定刃とともに厨芥を破砕するハンマー部材が取り付けられている回動テーブルが設けられ、
前記破砕容器を前記本体に取り付けることによって前記駆動装置の駆動が前記回動テーブルに伝動するようになっていることを特徴とする厨芥破砕装置。
【請求項２】
自在に定置して使用する厨芥破砕装置であって、
駆動装置を有する本体と、
前記本体に着脱自在となっている破砕容器とを備え、
その破砕容器は、厨芥を収容する厨芥収容体とその厨芥収容体に嵌脱自在となっている蓋体とを有し、
前記厨芥収容体の容器内部側及び／又は前記蓋体の容器内部側には、固定刃が設けられ、
前記蓋体は、厨芥を前記固定刃とともに厨芥を破砕する表面突起刃を有する回動テーブルが設けられ、
破砕容器を前記本体に取り付けることによって前記駆動装置の駆動が前記回動テーブルに伝動するようになっていることを特徴とする厨芥破砕装置。
【請求項３】
前記破砕収容体の内部にメッシュかごが挿着可能になっていることを特徴とする請求項１又は２に記載の厨芥破砕装置。
【請求項４】
前記破砕容器を前記本体に取り付けた状態で、前記駆動装置の駆動軸と前記回動テーブルの回動軸とが直列位置になっていることを特徴とする請求項１乃至３いずれかに記載の厨芥破砕装置。
【請求項５】
前記破砕容器を前記本体に取り付けた状態では、前記駆動装置の駆動軸と前記回動テーブルの回動軸とが並列位置になっていることを特徴とする請求項１乃至３いずれかに記載の厨芥破砕装置。
【発明の詳細な説明】
【技術分野】
【０００１】
本発明は、自在に定置して使用する厨芥破砕装置に関する。
【背景技術】
【０００２】
従来から、シンクの排水口に取り付けられる厨芥破砕装置（ディスポーザ）が知られている。厨芥破砕装置には排水管が接続されており、排水口からを投入された生ごみ等の厨芥を破砕し、水とともに排水管へと排出するようになっている。
【０００３】
このような生ごみ等の厨芥を破砕する厨芥破砕装置として、特許文献１に示すものがある。特許文献１の厨芥破砕装置は、破砕室と、破砕室の底部に設けられた破砕ユニットと、破砕ユニットで破砕された厨芥を破砕室の下方から排水管へ排出できる排出口とを備える。
【０００４】
厨芥破砕装置の破砕運転中又は破砕運転後には、破砕室内での厨芥の残留や排水管が詰まりを防止するために、水道等から水を破砕装置に供給するようになっており、排出口からは、破砕された厨芥を含む排水が排水管へと排出される。その厨芥を含む排水は排水管を通して湿式分解槽等に投入され、浄化処理を行い公共下水道等へ放流されるようになっている。
【先行技術文献】
【特許文献】
【０００５】
【特許文献１】特開２００８−２３７９９９
【発明の概要】
【発明が解決しようとする課題】
【０００６】
しかしながら、シンクの排水口に取り付けられる厨芥破砕装置は、破砕運転中に生じる振動によって、厨芥破砕装置と排水管との連結部が緩み漏水が発生する可能性があるという問題がある。厨芥破砕装置は、例えばシンク下などの空間に設置されている場合が多いため、普段は厨芥破砕装置がシンク下の空間を閉塞する扉等の奥にあり、常に目視で厨芥破砕装置が見える状態となっていない。従って、漏水の発見が遅れやすく、漏水の被害が拡大するおそれがある。
【０００７】
集合住宅においては、階上の住戸で漏水が発生すると、階下の住戸にも漏水の被害が及ぶ可能性がある。また、破砕運転中に生じる振動が排水管を介して他の住戸に伝播し、振動・騒音問題に発展する場合がある。
【０００８】
また、家庭等から出る厨芥を減量化するとともに有効活用して環境負荷を抑制する方法として、微生物によって厨芥を分解し堆肥化するコンポスト型の厨芥処理装置等が普及しつつある。しかしながら、厨芥を破砕せずコンポスト型の厨芥処理装置等に投入すると、微生物分解に時間がかかること、大きな塊状の厨芥は微生物分解される前に内部から腐敗し臭気を出すこと、その臭気が蝿等の衛生害虫を呼び寄せてしまうことなどの問題がある。
【０００９】
シンクの排水口に取り付けられる厨芥破砕装置は、厨芥を細かく破砕することが可能ではある。しかしながら、厨芥破砕装置は破砕された厨芥を含む排水として排出するので、コンポスト型の厨芥処理装置に投入する場合、厨芥を含む排水から固体分を分離し、さらに固体分の含水率を調整しなければならず、時間及び手間がかかるという問題がある。さらに、固形分を分離した排水も浄化処理しなければならない場合があり、破砕運転中又は破砕運転後に厨芥破砕装置に水を供給することが結果的に環境負荷を増加させる可能性があるという問題がある。
【００１０】
上記点より本発明は、他の住戸への漏水、振動伝播及び騒音を防止するとともに環境負荷を低減することができる厨芥破砕装置を提供することを目的とする。
【課題を解決するための手段】
【００１１】
上記課題を解決するため、請求項１の厨芥破砕装置は、自在に定置して使用する厨芥破砕装置であって、駆動装置を有する本体と、前記本体に着脱自在となっている破砕容器とを備え、その破砕容器は、厨芥を収容する厨芥収容体とその厨芥収容体に嵌脱自在となっている蓋体とを有し、前記厨芥収容体の容器内部側及び／又は前記蓋体の容器内部側には、固定刃が設けられ、前記蓋体は、厨芥を前記固定刃とともに厨芥を破砕するハンマー部材が取り付けられている回動テーブルが設けられ、前記破砕容器を前記本体に取り付けることによって前記駆動装置の駆動が前記回動テーブルに伝動するようになっている。
【００１２】
請求項２の厨芥破砕装置は、自在に定置して使用する厨芥破砕装置であって、駆動装置を有する本体と、前記本体に着脱自在となっている破砕容器とを備え、その破砕容器は、厨芥を収容する厨芥収容体とその厨芥収容体に嵌脱自在となっている蓋体とを有し、前記厨芥収容体の容器内部側及び／又は前記蓋体の容器内部側には、固定刃が設けられ、前記蓋体は、厨芥を前記固定刃とともに厨芥を破砕する表面突起刃を有する回動テーブルが設けられ、破砕容器を前記本体に取り付けることによって前記駆動装置の駆動が前記回動テーブルに伝動するようになっている。
【００１３】
請求項３の厨芥破砕装置は、前記破砕収容体の内部にメッシュかごが挿着可能になっている。
【００１４】
請求項４の厨芥破砕装置は、前記破砕容器を前記本体に取り付けた状態で、前記駆動装置の駆動軸と前記回動テーブルの回動軸とが直列位置になっている。
【００１５】
請求項５の厨芥破砕装置は、前記破砕容器を前記本体に取り付けた状態では、前記駆動装置の駆動軸と前記回動テーブルの回動軸とが並列位置になっている。
【発明の効果】
【００１６】
請求項１の厨芥破砕装置は、自在に定置して使用するので、任意の場所で厨芥の破砕を行うことができる。したがって、使用者が目視で厨芥破砕装置を確認しながら破砕運転を行うことができるとともに厨芥破砕装置と排水管との連結を必要としないので、シンク下等の空間に厨芥破砕装置が設置されその厨芥破砕装置と排水管とが連結されている場合に比べて、他の住戸への漏水、振動伝播及び騒音を低減することができる。
【００１７】
請求項１の厨芥破砕装置は、破砕容器が厨芥収容体とその厨芥収容体に嵌脱自在となっているので、厨芥が発生する場所まで破砕容器を持ち運ぶことができるとともに、破砕された厨芥をコンポスト型厨芥処理装置等の厨芥処理装置まで容易に持ち運ぶことができる。破砕された厨芥をコンポスト型厨芥処理装置で処理できるので、環境負荷を低減することができる。
【００１８】
請求項１の厨芥破砕装置は、前記固定刃及びハンマー部材で厨芥を破砕するので、厨芥に含まれる魚の骨や肉の骨などの比較的硬いものも破砕することができる。
【００１９】
請求項２の厨芥破砕装置は、自在に定置して使用するので、任意の場所で厨芥の破砕を行うことができる。したがって、使用者が目視で厨芥破砕装置を確認しながら破砕運転を行うことができるので、他の住戸への漏水を防止することができる。さらに、請求項２の厨芥破砕装置は、厨芥破砕装置と排水管との連結を必要としないので、シンク下等の空間に厨芥破砕装置が設置されその厨芥破砕装置と排水管とが連結されている場合に比べて、振動伝播及び騒音を低減することができる。
【００２０】
請求項２の厨芥破砕装置は、破砕容器が厨芥収容体とその厨芥収容体に嵌脱自在となっているので、厨芥が発生する場所まで破砕容器を持ち運ぶことができるとともに、破砕された厨芥をコンポスト型厨芥処理装置の厨芥処理装置まで容易に持ち運ぶことができる。
厨芥を細かく破砕してコンポスト型厨芥処理装置で処理できるので、環境負荷を低減することができる。
【００２１】
請求項２の厨芥破砕装置は、前記固定刃及び表面突起刃で破砕するので、厨芥に含まれる魚の骨や肉の骨などの比較的硬いものも破砕することができる。
【００２２】
請求項３の厨芥破砕装置は、破砕収容体の内部にメッシュかごが挿着可能になっていることによって、メッシュかごに厨芥を入れて、厨芥の水切りを行った後、厨芥をメッシュかごごと破砕収容体に容易に収容することができる。また、破砕運転後、蓋体を破砕収容体から取り外すために破砕容器の蓋体側を上にした時に、破砕された厨芥がメッシュかごに入り、メッシュかごを破砕収容体から取り出して、容易に厨芥の水切りを行えるようになっている。破砕した厨芥の含水量を容易に調節することができるので、厨芥をコンポスト型厨芥処理装置で効率よく処理できる。
【００２３】
請求項４の厨芥破砕装置は、前記破砕容器を前記本体に取り付けた状態で、前記駆動装置の駆動軸と前記回動テーブルの回動軸とが直列位置になっているので、破砕容器の下方に駆動装置が位置するようになっている。したがって、厨芥破砕装置が平面上に載置する際に占有するスペースを狭くすることができる。
【００２４】
請求項５の厨芥破砕装置は、破砕容器を前記本体に取り付けた状態で、駆動装置の駆動軸と前記回動テーブルの回動軸とが並列位置となっているので、破砕容器の側方に駆動装置が位置するようになっている。したがって、厨芥破砕装置の全高を低くすることができる。
【図面の簡単な説明】
【００２５】
【図１】本発明の第一実施形態の厨芥破砕装置１１を示す断面図である。
【図２】ハンマー部材５３を有する回動テーブル５４及び固定刃４３を示す上面図である。
【図３】本発明の第二実施形態の厨芥破砕装置１２を示す断面図である。
【図４】本発明の第三実施形態の厨芥破砕装置１３を示す断面図である。
【図５】本発明の第四実施形態の厨芥破砕装置１４を示す断面図である。
【図６】表面突起刃５７を有する回動テーブル５４及び固定刃４３を示す上面図である。
【発明を実施するための形態】
【００２６】
以下、本発明の第一実施形態の厨芥破砕装置１１について図面に基づいて説明する。図１は、本発明の第一実施形態の厨芥破砕装置１１を示す断面図である。図２は、ハンマー部材５３を有する回動テーブル５４及び固定刃４３を示す上面図である。
【００２７】
図１に示すように、厨芥破砕装置１１は、駆動装置２１を有する本体２と、本体２に着脱自在となっている破砕容器３とを備える。厨芥破砕装置１１は、例えば、台所の床や台所の天板等に自在に定置して使用することができるようになっている。
【００２８】
本体２の胴部には、駆動装置２１をオン／オフ操作するためのスイッチ２２が設けられている。使用者がスイッチ２２を押圧すると駆動装置２１がオンになり、スイッチ２２の押圧を解除すると駆動装置２１がオフになる。また、本体２には、駆動装置２１に電気を供給するために、本体２から延出するコンセントケーブル２３が設けられている。
【００２９】
さらに、本体２には、破砕容器３を本体２の所定の位置に取り付けないと、駆動装置２１に電気が供給されず、駆動装置２１が回動しないようになっている安全装置（図示せず）が設けられている。
【００３０】
本体２の破砕容器３を取り付ける面には、嵌合凹部２４、２４が設けられている。破砕容器３を本体２の所定の位置に取り付けると、嵌合凹部２４、２４に後述する破砕容器３の嵌合凸部５６、５６が嵌合するようになっている。
【００３１】
駆動装置２１は、本体２に内蔵されている。駆動装置２１には、下端側が駆動軸に固定され、その駆動軸と一体となって回動する本体嵌合部２５が設けられている。本体嵌合部２５の上端側は、本体２の破砕容器３を取り付ける面を貫通し上方に向って突出するようになっている。
【００３２】
破砕容器３は、厨芥を収容する厨芥収容体４とその厨芥収容体４に嵌脱自在となっている蓋体５とを有する。
【００３３】
第一実施形態では、厨芥収容体４はステンレスからなり、円形の収容体上面部４１と図１においては収容体上面部４１の周縁から垂設されている収容体側壁４２と、図１においては収容体側壁４２の下端が開口をなしている。
【００３４】
第一実施形態の厨芥破砕装置１１では、開口をなす収容体側壁４２の容器内部側に固定刃４３が設けられている。また、開口をなす収容体側壁４２の容器外部側には、蓋体５と螺合するためのねじ溝が形成されている。
【００３５】
固定刃４３は、図２に示すように、内周面に連続する凹凸が形成されている。尚、図２では、部材を区別する便宜上、固定刃４３と回動テーブル５４との最近接部分に隙間があるが、実際には、固定刃４３と回動テーブル５４との最近接部分での隙間は１ｍｍ以下となっている。
【００３６】
第一実施形態では、蓋体５はステンレスからなり、円形の蓋体底面部５１と図１においては蓋体底面部５１の周縁から立設されている蓋体側壁５２と、図１においては蓋体側壁５２の上端が開口をなしている。
【００３７】
第一実施形態の厨芥破砕装置１１では、開口をなす蓋体側壁５２の容器内部側に厨芥収容体４と螺合するためのねじ溝が形成されている。第一実施形態の厨芥破砕装置１１では、前述の収容体側壁４２の外側に、蓋体側壁５２が位置する状態で、厨芥収容体４と蓋体５とが螺合するようになっている。
【００３８】
蓋体底面部５１の容器内部側には、厨芥を固定刃４３とともに厨芥を破砕するハンマー部材５３が取り付けられている回動テーブル５４が設けられている。回動テーブル５４の回動軸は円形の蓋体底面部５１の中心に位置するようになっている。
【００３９】
蓋体底面部５１の容器外部側には、嵌合凸部５６、５６が設けられている。破砕容器３を本体２の所定の位置に取り付けると、嵌合凹部２４、２４に嵌合凸部５６、５６が嵌合し、回動テーブル５４及び後述する容器嵌合部５５を除く破砕容器３の部分が回動することを防止できるようになっている。
【００４０】
回転テーブル５４には容器嵌合部５５が固定されている。容器嵌合部５５が蓋体底面部５１に軸支され、容器嵌合部５５と回転テーブル５４とが一体となって回動するようになっている。
【００４１】
図１に示すように、破砕容器３を本体２に取り付けることによって、本体嵌合部２５と容器嵌合部５５とが嵌合するようになっている。本体嵌合部２５と容器嵌合部５５とが嵌合することによって、駆動装置２１の駆動が回動テーブル５４に伝動するようになっている。
【００４２】
第一実施形態の厨芥破砕装置１１では、破砕容器３を本体２に取り付けた状態で、駆動装置２１の駆動軸と回動テーブル５４の回動軸とが直列位置になっている。
【００４３】
図１及び図２に示すように、第一実施形態の厨芥破砕装置１１では、回動テーブル５４の上面の２箇所に、ハンマー部材５３、５３が設けられている。ハンマー部材５３、５３は、円形の回動テーブル５４の半径方向に互いに対向する位置に設けられている。
【００４４】
各ハンマー部材５３は、回動テーブル５４の中心側に位置する基部が取付ピン５３ａによって回動テーブル５４に取り付けられており、回動テーブル５４の縁側の端部が回動テーブル５４の表面に沿って基部を中心に変位可能（図２のハンマー部材５３の破線参照）となっているともに回転テーブル５４の表面の法線方向にも変位可能とになっている。
【００４５】
回転テーブル５４が回動すると、各ハンマー部材５３に遠心力が加わり、各ハンマー部材５３の基部から端部に向う方向が、回転テーブル５４の半径方向と一致するようになっている。
【００４６】
各ハンマー部材５３の端部は、回動テーブル５４の表面に沿って基部を中心に変位可能となっているともに回転テーブル５４の表面の法線方向にも変位可能とになっていることによって、各ハンマー部材５３と固定刃４３の凹凸との間に比較的硬い厨芥が入り込んでも、各ハンマー部材５３が変位することによって、噛みこみを防止することができるようになっている。
【００４７】
第一実施形態の厨芥破砕装置１１で破砕運転を行うと、そのまま、コンポスト型厨芥処理装置に投入及び処理可能な大きさまで厨芥を破砕することができる。本体から破砕容器３を取り外すと、破砕された厨芥はコンポスト型厨芥処理装置の近傍まで破砕容器３ごと持ち運び可能となる。
【００４８】
なお、破砕した厨芥を下水処理場で発生する下水汚泥とあわせて処理・資源化して電用化石燃料代替エネルギー等として利用できる場合がある。公共下水道から破砕した厨芥を取り出すことができるインフラ整備が整えば、厨芥破砕装置１１で破砕した厨芥をシンクの排水管に投入し、そのまま台所排水とともに公共下水道等に放流することも可能である。
【００４９】
図３は、本発明の第二実施形態の厨芥破砕装置１２を示す断面図である。前述の第一実施形態と異なる箇所について、以下に説明する。
【００５０】
図３に示すようにスイッチ２２は本体２の上面に設けられている。
【００５１】
第二実施形態の厨芥破砕装置１２では、破砕容器３を本体２に取り付けた状態で、駆動装置２１の駆動軸と回動テーブル５４の回動軸とが並列位置になっている。
【００５２】
図３に示すように、駆動装置２１は、本体２に内蔵されている。駆動装置２１から所定間隔離れた位置に本体嵌合部２５が回動自在に設けられている。本体嵌合部２５の上端側は、本体２の破砕容器３を取り付ける面を貫通し上方に向って突出するようになっている。
【００５３】
駆動装置２１の駆動軸と本体嵌合部２５には、ゴムからなる駆動ベルト２６が巻回されている。したがって、駆動装置２１の駆動軸が回動すると、本体嵌合部２５も回動するようになっている。
【００５４】
図４は、本発明の第三実施形態の厨芥破砕装置１３を示す断面図である。前述の第一実施形態と異なる箇所について、以下に説明する。
【００５５】
第三実施形態の厨芥破砕装置１３では、蓋体底面部５１から蓋体側壁５２の上端までの距離が第一実施形態に比べて長くなっている。蓋体側壁５２の上端が開口をなしており、蓋体側壁５２の容器内部側であって、開口に近い位置に厨芥収容体４と螺合するためのねじ溝が形成されている。
【００５６】
図４に示すように、第三実施形態の厨芥破砕装置１３では、固定刃４３が蓋体側壁５２の容器内部側であって、蓋体底面部５１に近い位置に設けられている。
【００５７】
第三実施形態の厨芥破砕装置１３では、厨芥収容体４の内部にメッシュかご６が挿着可能になっている。第三実施形態のメッシュかご６はステンレスからなり、メッシュの規格は、２０メッシュ（線径が０．２５ｍｍ、目開き１．０２ｍｍ）となっている。
【００５８】
メッシュかご６の使用方法としては、メッシュかご６に厨芥を入れて、例えばシンク等で厨芥の水切りを行った後、厨芥をメッシュかご６ごと厨芥収容体４に容易に収容することができる。
【００５９】
また、破砕運転後、厨芥収容体４から蓋体５を取り外すために、破砕容器３の蓋体５側を上に厨芥収容体４側を下にすると、破砕された厨芥がメッシュかご６に入り、メッシュかご６を厨芥収容体４から取り出して、例えばシンク等で容易に厨芥の水切りを行えるようになっている。
【００６０】
図５は、本発明の第四実施形態の厨芥破砕装置１４を示す断面図である。本発明の第四実施形態の厨芥破砕装置１４は、前述の第二実施形態の厨芥破砕装置１２の本体２と第三実施形態の厨芥破砕装置１３の破砕容器３を組み合わせたものである。
【００６１】
上記の実施形態の厨芥破砕装置１１〜１４では、ハンマー部材５３を有する回動テーブル５４が設けられている場合について説明したが、これに限定されることなく、例えば、図６に示すように、おろし金に形成されているような表面突起刃５７が表面に形成された回転テーブル５４を設けてられていてもよい。
【００６２】
上記実施形態の厨芥破砕装置１１〜１４では、本体２の胴部又は本体２の上面に駆動装置２１の回動をオン／オフ操作するためのスイッチ２２が設けられている場合について説明したが、これに限定されることなく、例えば、破砕容器を本体に取り付けた後、さらに破砕容器を本体に向って押圧することによって、駆動装置２１がオンとなり、押圧を解除すると駆動装置２１がオフになる機構となっていてもよい。
【００６３】
上記実施形態の厨芥破砕装置１１〜１４では、駆動装置２１に電気を供給するために、本体２から延出するコンセントケーブル２３が本体２に設けられている場合について説明したが、これに限定されることなく、本体２内部に電池収容部を設けて、コードレスで破砕運転をできるようになっていてもよい。
【００６４】
上記実施形態の厨芥破砕装置１１〜１４では、厨芥収容体４及び蓋体５がステンレスからなる場合について説明したが、これに限定されることなく、厨芥収容体４及び蓋体５が例えば、ＦＲＰ、プラスチックなどの樹脂からなっていてもよい。
【００６５】
上記実施形態の厨芥破砕装置１１〜１４では、前述の収容体側壁４２の外側に、蓋体側壁５２が位置する状態で、厨芥収容体４と蓋体５とが螺合するようになっている場合について説明したが、これに限定されることなく、蓋体側壁の外側に収容体側壁が位置する状態で、厨芥収容体４と蓋体５とが螺合するようになっていてもよい。この場合、上記第一及び第二の厨芥破砕装置１１、１２では、蓋体側壁の容器内部側に固定刃が設けられる。
【００６６】
上記実施形態の厨芥破砕装置１１〜１４では、厨芥収容体４と蓋体５とが螺合する場合について説明したが、これに限定されることなく、例えば、厨芥収容体に設けられた掛止具と、蓋体に設けられた被掛止具とを有し、掛止具を被掛止具に引っ掛けると、厨芥収容体と蓋体とを互いに密着させる方向に付勢しながら厨芥収容体の開口を蓋体で閉塞することができる密封手段によって蓋体５が厨芥収容体４に嵌脱自在となっていてもよい。
【００６７】
上記実施形態の厨芥破砕装置１１〜１４では、収容体上面部及び蓋体底面部が円形である場合について説明したが、これに限定されることなく、容器内部で回動テーブルが回動できるたけの大きさを有する四角形などの多角形や楕円形であってもよい。
【００６８】
上記実施形態の厨芥破砕装置１１〜１４では、回動テーブル５４の上面の２箇所に、ハンマー部材５３、５３が設けられ、これらのハンマー部材５３、５３は、円形の回動テーブル５４の半径方向に互いに対向する場合について説明したが、これに限定されることなく、例えば、回動テーブル５４の上面の１箇所にハンマー部材が設けられていてもよく、また、３箇所、４箇所と複数箇所にそれぞれハンマー部材が設けられていてもよい。
【００６９】
上記第二及び第四実施形態の厨芥破砕装置１２、１４では、駆動装置２１の駆動軸と本体嵌合部２５には、ゴムからなる駆動ベルト２６が巻回されている場合について説明したが、これに限定されることなく、駆動シャフトを介して駆動装置の駆動軸の回動が本体嵌合部に伝動するようになっていてもよい。
【００７０】
上記第三及び第四実施形態の厨芥破砕装置１３、１４では、メッシュかご６のメッシュの規格は、２０メッシュ（線径が０．２５ｍｍ、目開き１．０２ｍｍ）である場合について説明したが、例えば、１８メッシュなど、破砕された厨芥が通り抜けにくい他の規格であってもよい。
【符号の説明】
【００７１】
２                      本体
３                      破砕容器
４                      厨芥収容体
５                      蓋体
６                 
メッシュかご
１１、１２、１３、１４  厨芥破砕装置
２１                    駆動装置
２２                    スイッチ
２３                    コンセントケーブル
２４                    嵌合凹部
２５                    本体嵌合部
２６                    駆動ベルト
４１                    収容体上面部
４２                    収容体側壁
４３                    固定刃
５１                    蓋体底面部
５２                    蓋体側壁
５３                    ハンマー部材
５３ａ                  取付ピン
５４                    回動テーブル
５５                    容器嵌合部
５６                    嵌合凸部
５７                    表面突起刃
【図１】
2010253333.tif 000003
【図２】
2010253333.tif 000004
【図３】
2010253333.tif 000005
【図４】
2010253333.tif 000006
【図５】
2010253333.tif 000007
【図６】
2010253333.tif 000008